(57)【特許請求の範囲】
【請求項１】
光硬化型樹脂製アタッチメントを光重合により形成するために用いるアタッチメント形成治具であって、
可撓性樹脂材料で形成された略円柱状貫通孔を有する部材と、上部に前記部材を具備するキャップ部と、を具備し、
前記キャップ部は、前記部材に一体的に形成されたフランジ部と、前記フランジ部の外縁に一体的に形成された略円筒部と、を有し、
光重合用光照射装置からの照射光を前記貫通孔によって照射領域を規定して照射可能であること、
を特徴とするアタッチメント形成治具。
【請求項２】
略直線状のアーム部と、前記アーム部の長さ方向に対して略垂直方向に開口する開口部内に設けられた光照射部と、前記開口部に着脱可能に取り付けられたレンズ部と、前記レンズ部を覆うように着脱可能に取り付けられた請求項１に記載のアタッチメント形成治具と、を具備し、
前記光照射部から照射された光を誘導して前記貫通孔によって照射領域を規定して照射可能なこと、
を特徴とする光重合用光照射装置。
【発明の詳細な説明】
【技術分野】
【０００１】
本発明は、アタッチメント形成テンプレートを直接押圧しつつ、歯表面に付着させた光重合コンポジットレジンのみに光を照射して歯科矯正治療用アライナ―に用いるアタッチメントを形成可能なアタッチメント形成治具に関する。
【背景技術】
【０００２】
マウスピース型矯正治療は、略透明のマウスピース型の矯正装置（以下、本明細書では単に「アライナ―」とも称する。）を患者の歯列に装着して矯正治療を行うものであり、１９９７年に米国のアライン・テクノロジ社によって開発された画期的な歯科矯正治療法である。例えば特許文献１に開示されているように、患者個々の歯列に合わせ、コンピュータの３次元シミュレーションソフトを用いて施術者が治療計画を策定したうえで、矯正治療完了に至るまでに必要なアライナ―の形状及び個数を決定し、矯正治療開始前に全てのアライナ―が同時に製造される。
【０００３】
アライナ―は、厚さ略０.５ｍｍで構成されており、当該アライナ―を患者の歯列に連日２０時間以上装着させる。アライナ―は略１４日毎に交換し、段階的に患者の歯列を移動させて所望の配置に近付ける。一つのアライナ―で患者の歯列を０．２５ｍｍ移動させるように設定されており、矯正治療開始から終了まで、２０〜４０個のアライナ―を用いる。
【０００４】
また、マウスピース型矯正治療は、略透明なアライナ―を装着して矯正治療を行う為、従来の歯科矯正治療法と比して視覚的に矯正器具が目立たず、他人からアライナ―の装着を視認されにくい。また、患者自身が任意にアライナ―の装着を解除可能で、違和感のない食事及びアライナ―を清潔に保つことが可能となる。
【０００５】
マウスピース型矯正治療では、アライナ―を効果的かつ確実に装着する為にアタッチメントと称される補助部を歯に形成する場合がある。アタッチメントは、歯と同色で厚さ略１ｍｍの突起物であり、光を照射することで硬化する光重合コンポジットレジン等を用いて形成される。当該アタッチメントを患者の歯に形成することにより歯の表面に凹凸が追加され、アライナ―における歯列の把持を高めて、より複雑な方向へ歯列を移動することが可能となる。
【０００６】
アタッチメントは、アタッチメント成形テンプレート及び光を照射する光重合用光照射装置を用い、光重合コンポジットレジンを硬化させることで形成される。具体的には、施術者はアタッチメント成形テンプレートに設けられたアタッチメント形成孔に光重合コンポジットレジンを充填した後、当該アタッチメント成形テンプレートを患者の歯列に嵌合させる。続いて、ピンセット等を用いてアタッチメント成形テンプレートを押圧して固定しつつ、光重合用光照射装置を操作してアタッチメント形成孔に光を照射し、光重合コンポジットレジンを硬化させてアタッチメントを形成する。
【先行技術文献】
【特許文献】
【０００７】
【特許文献１】特許第３６４１２０８号公報
【発明の概要】
【発明が解決しようとする課題】
【０００８】
しかしながら、上述したアタッチメントの形成手法では施術者が一方の手でピンセットを操作してアタッチメント成形テンプレートを固定しつつ、もう一方の手又は他のスタッフによって光重合用光照射装置を操作する必要がある。また、光重合用光照射装置は広範囲に照射光を拡散させるレンズを有することから、所望のアタッチメント形成孔のみに光を照射することが困難である。この為、所望のアタッチメント形成孔から横溢した光重合コンポジットレジンに光が照射されて硬化し、不要なバリが発生してしまったり、隣接するアタッチメント形成孔にも光が照射されて中途半端に硬化してしまい、アライナ―が歪んで装着されてしまったりするという問題がある。また、当該バリは切削等によって患者の歯から除去を行うが、完全な除去には略２０分の時間が必要であり、複数のアタッチメントの形成を行う際は大幅に施術時間が増加してしまう問題があった。
【０００９】
そこで、本発明は、上記問題に鑑み、アタッチメント形成テンプレートを直接押圧しつつ、内部に充填された光重合コンポジットレジンのみに光を照射してアタッチメントを形成することが可能なアタッチメント形成治具を提供することを目的とする。
【課題を解決するための手段】
【００１０】
本発明は、光硬化型樹脂製アタッチメントを光重合により形成するために用いるアタッチメント形成治具であって、
可撓性樹脂材料で形成された略円柱状の貫通孔を有する部材（例えば可撓性樹脂材料で形成された貫通孔を有する略円筒状部材）を有し、光重合用の光照射器からの照射光を前記貫通孔によって照射領域を規定して照射可能であること、
を特徴とするアタッチメント形成治具を提供する。
【００１１】
上記のような構成を有する本発明のアタッチメント形成治具は、更に、前記アタッチメント形成治具を把持可能な略円筒状の把持部と、前記把持部に一体的に形成されたフランジ状の台座部と、を有する接続部材を具備していることが好ましい。
【００１２】
また、上記のような構成を有する本発明のアタッチメント形成治具は、更に、光重合用の光照射器からの照射光を内部に誘導可能な開口部を有するガイド部材を具備していることが好ましい。
【００１３】
また、本発明は、上記の本発明のアタッチメント形成治具と、光重合用の光照射器からの照射光を内部に誘導可能な開口部を有するガイド部材と、を具備し、前記光照射器からの照射光を誘導して前記貫通孔によって照射領域を規定して照射可能な光重合用光照射装置にも関する。
【発明の効果】
【００１４】
本発明は、可撓性を有する円柱状のアタッチメント形成治具における中心部に、両底面を貫通する照射孔を備え、当該照射孔を介する経路のみ、光を通過可能に構成されている。また、当該アタッチメント形成治具は、接続部材を介してガイド部材に接続しつつ、接続したガイド部材の内部に照射孔を連通することができるため、接続したガイド部材内部に照射された光を誘導して、照射孔から外部に照射することが可能となる。この結果、アタッチメント形成治具の照射孔をアタッチメント形成テンプレートに接触させて押圧固定しながら施術を行うことができる。更に、照射孔に導いた光をアタッチメント形成テンプレート内部に充填された光重合コンポジットレジンのみに光を照射することが可能となり、アタッチメント形成施術の簡便化及び不用なバリの発生を抑制し、施術時間を短縮することができるものである。
【図面の簡単な説明】
【００１５】
【図１】本発明の一実施形態に係るアタッチメント形成治具の形状を示しており、図１（ａ）はアタッチメント形成治具の正面図であり、図１（ｂ）はアタッチメント形成治具の側面図である。
【図２】図１に示すアタッチメント形成治具を接続する接続部材の形状を示しており、図２（ａ）は接続部材の正面図であり、図２（ｂ）は接続部材の側面図であり、図２（ｃ）は接続部材を図２（ａ）において示した線Ａで断面視した断面図である。
【図３】本発明の一実施形態に係るガイド部材の形状を示しており、図３（ａ）はガイド部材の正面図であり、図３（ｂ）はガイド部材を図３（ａ）において示した線Ｂで断面視した断面図である。
【図４】本発明の一実施形態に係る光照射器の外観を示した模式図である。
【図５】図４に示す光照射器を用いたアタッチメントの形成手順を示しており、図５（ａ）はアタッチメント形成テンプレートに光重合レジンの充填を示した模式図であり、図５（ｂ）は患者の上顎側歯列にアタッチメント形成テンプレートの装着を示した模式図であり、図５（ｃ）は光照射器を用いてアタッチメント成形テンプレート越しに光重合レジンに光を照射する状態を示した模式図である。
【図６】ガイド部材がデンタルミラー型ツールの形状を有する実施形態を示しており、図６（ａ）はデンタルミラー型ツールの正面図であり、図６（ｂ）はデンタルミラー型ツールを図６（ａ）において示した線Ｃで断面視した断面図である。
【図７】本発明の一実施形態に係るマスキングツールの外観を示した模式図である。
【図８】図７に示すマスキングツールを用いてアタッチメントを形成する手法を示した模式図である。
【図９】本発明の実施形態３に係るアタッチメント形成治具１の構成を示す概略断面図である。
【図１０】本発明の実施形態３に係るアタッチメント形成治具１と組み合わせて用いられる本実施形態に係る光重合用光照射装置２０の概略斜視図である。
【図１１】図１０に示す光重合用光照射装置２０に、図９に示すアタッチメント形成治具１を取り付けた様子を示す模式図である。
【発明を実施するための形態】
【００１６】
以下、本発明に係るアタッチメント形成治具１の代表的な実施形態について、図１〜図６を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１７】
≪実施形態１≫
図１（ａ）,（ｂ）は、本発明の実施形態に係るアタッチメント形成治具１を示す正面図及び側面図である。図１（ａ）,（ｂ）に示すように、本実施形態のアタッチメント形成治具１は、略円柱状で両底面を貫通する円筒状の貫通孔３を備えており、中空となっている（即ち、円柱状空洞部を有する円筒状部材ともいえる）。当該アタッチメント形成治具１は可撓性を有するシリコーン樹脂により形成されていることから、外圧を受けた際には形状が変化し、外圧が解除されると元の形状に戻る弾性を有している。また、アタッチメント形成治具１は黒色不透明もしくはオレンジ色半透明で硬化を防ぐという特徴を持つ。
【００１８】
次に、図２（ａ）,（ｂ）, （ｃ）を用いて接続部材５の詳細について説明する。図２（ａ）は接続部材５の正面図を示しており、図２（ｂ）は接続部材５の側面図を示しており、図２（ｃ）は図２（ａ）において示した線Ａで断面視した接続部材５の断面図を示している。接続部材５は、異なる２つの円柱状部材である把持部７及び台座部９の中心を合わせて両部材の底面を重ねた状態で一体形成されている。また、接続部材５はポリカーボネートによって形成されており、アタッチメント形成治具１と同様に黒色とすることが好ましい。
【００１９】
把持部７は、高さＬ４＝３〜５ｍｍであり、台座部９と接した底面から反対側の底面までアタッチメント形成治具１を挿入する直径Ｌ１＝６ｍｍのアタッチメント形成治具挿入孔１０が貫通している。当該アタッチメント形成治具挿入孔１０には把持用タップ１１が設けられており、アタッチメント形成治具１がアタッチメント形成治具挿入孔１０に挿入された際、アタッチメント形成治具１の弾性によって把持用タップ１１がアタッチメント形成治具１に食い込んで把持力が高まる。
【００２０】
台座部９は把持部７と比して扁平な円柱状を形成しており、直径はＬ２＝略１０ｍｍである。また、台座部９の中心には直径Ｌ３＝５ｍｍの照射孔１３が設けられており、当該照射孔１３及びアタッチメント形成治具挿入孔１０は連通している。
【００２１】
ただし、照射孔１３の直径は、アタッチメント形成治具挿入孔１０の直径に比して小さい為、アタッチメント形成治具１をアタッチメント形成治具挿入孔１０に挿入した際、アタッチメント形成治具１が照射孔１３を挿通することがなく、把持部７に接する台座部９の底面に当たって固定されることとなる。なお、上述してきた接続部材５はポリカーボネートによって形成され、アタッチメント形成治具１と同様に黒色とすることが好ましい。
【００２２】
次に、図３（ａ）,（ｂ）を用いてガイド部材１５の詳細について説明する。図３（ａ）はガイド部材１５の正面図を示しており、図３（ｂ）は図３（ａ）において示した線Ａで断面視したガイド部材１５の断面図を示している。ガイド部材１５は、略円柱状で底部１６に開口が設けられ、内部全体が中空に形成されている。ガイド部材１５の先端部側面には接続部材５を挿入する為の挿入部１７が設けられており、当該挿入部１７は接続部材把持部１７ａと、孔１７ｂと、把持部底面１７ｃと、から構成されている。
【００２３】
接続部材５が挿入部１７に挿入された際、接続部材把持部１７ａの内面が接続部材５の台座部９における側面を把持し、把持部底面１７ｃが接続部材５の台座部９における底面と接することにより、接続部材５がガイド部材１５内部に挿通することがなく、所望の位置に接続部材５を固定することが可能となる。
【００２４】
また、孔１７ｂは、ガイド部材１５の底部１６に接続される光重合用の光照射器１９の光照射部から照射された光を、ガイド部材１５内部から接続部材５の照射孔１３へ導く役割を担っている。ガイド部材１５は、施術中に患者の口内へ挿入して唇小帯等を押圧し、必要なスペースを確保する必要がある為、可撓性を有さない硬質の樹脂で形成することが望ましい。
【００２５】
続いて、図４を用いて光重合用光照射装置２０の概要を説明する。図４は、光重合用光照射装置２０の外観を示した模式図である。図４に示した様に光重合用光照射装置２０は、概ねアタッチメント成形器１と、接続部材５と、ガイド部材１５と、歯科治療用の光重合用の光照射器１９と、で構成されている。
【００２６】
組み合わせ手順は、アタッチメント形成治具１を接続部材５の把持部７に設けられたアタッチメント形成治具挿入孔１０に挿入し、接続部材５の台座部９に接触するまで押圧する。次に、接続部材５の台座部９をガイド部材１５の挿入部１７に挿入し、接続部材５の台座部９における底面が挿入部１７の把持部底面１７ｃに接触するまで押圧することで完了する。
【００２７】
本発明のアタッチメント形成治具１と、接続部材５と、ガイド部材１５と、が上述した手順で組み合わせ完了した後、ガイド部材１５の底部１６に光重合用の光照射器１９の光照射部を接続することとなる。
【００２８】
本発明のアタッチメント形成治具１に用いる光重合用の光照射器１９は、例えばＬＥＤ素子等を具備し、施術者がアタッチメントを患者の歯に成形する際、後述するアタッチメント形成テンプレート２５を透過させて光重合コンポジットレジン３１を硬化させる必要がある。このため、一般的な歯の歯科治療等において、施術者が患者の歯に設けた切削孔に光硬化樹脂を充填し、当該光硬化樹脂を硬化させる用途等に用いられる汎用品と比して、高出力（４０００ｍｗ/ｃｍ２以上）タイプの光重合用の光照射器１９であることが望ましい。
【００２９】
次に、図５（ａ）,（ｂ）,（ｃ）を示し、施術者が光重合用光照射装置２０を使用して患者の歯にアタッチメントを成形する手順について説明する。図５（ａ）はアタッチメント形成テンプレート２５に光重合コンポジットレジン３１を充填する手順を示した模式図であり、図５（ｂ）は患者の上顎側歯列にアタッチメント形成テンプレート２５を装着する手順を示した模式図であり、図５（ｃ）は光重合用光照射装置２０を用いてアタッチメント成形テンプレート２５越しに光重合コンポジットレジン３１に光を照射し、当該光重合コンポジットレジン３１を硬化させる手順を示した模式図である。
【００３０】
まず、図５（ａ）に示した様に、マウスピース型矯正装置（図示せず）と同時に作製したアタッチメント成形テンプレート２５を用意する。アタッチメント成形テンプレート２５は、患者の精密な歯型データを取得し、患者の歯における形状及び配列に合致したマウスピースであり、マウスピース型矯正装置と外観は酷似しているが、アタッチメント成形テンプレート２５はマウスピース型矯正装置と比して肉薄に形成され可撓性を有している。
【００３１】
アタッチメント成形テンプレート２５は、アタッチメントを成形する歯の位置によって、施術者が勘弁に施術可能な形状に切断して施術に用いても良い。本実施例では、アタッチメント成形テンプレート２５を患者の上顎側における４本の歯列分に切断して使用する例を用いて説明する。歯科治療に用いられる一般的なスケーラ２９等を用いて光重合コンポジットレジン３１を取り、アタッチメントを成形する歯に合わせて切断したアタッチメント成形テンプレート２５のアタッチメント形成孔２７に充填する。
【００３２】
この時、光重合コンポジットレジン３１をアタッチメント形成孔２７に過剰充填してしまうと、アタッチメント成形テンプレート２５を患者の歯列に嵌合させた際に光重合コンポジットレジン３１がアタッチメント形成孔２７から多量に横溢してしまう恐れがある為、成形するアタッチメントのサイズに適した量の光重合コンポジットレジン３１をアタッチメント形成孔２７に充填する必要がある。
【００３３】
続いて図５（ｂ）に示す様に、アタッチメント形成孔２７に光重合コンポジットレジン３１を充填した後、アタッチメントを成形する歯を含んだ４本の歯列にアタッチメント成形テンプレート２５を嵌合させる。上述した通り、アタッチメント成形テンプレート２５は可撓性を有していることから、アタッチメント成形テンプレート２５の開口部を容易に拡げて所望の歯列に嵌合させることができる。
【００３４】
しかしながら当該可撓性によって、アタッチメント成形テンプレート２５と、患者の歯列及び歯型と、に誤差が発生する可能性がある為、アタッチメント成形テンプレート２５を患者の歯列に嵌合させる際は、施術者がアタッチメント成形テンプレート２５の形状及び患者の歯列形状を入念に確認しつつ行う必要がある。
【００３５】
次に、本発明のアタッチメント形成治具１を組み込んだ光重合用光照射装置２０を用い、患者の歯に勘合させたアタッチメント成形テンプレート２５のアタッチメント形成孔２７に充填した光重合コンポジットレジン３１を硬化させ、アタッチメントを成形する。施術者はアタッチメント成形テンプレート２５が患者の歯列に嵌合したことを入念に確認した後、図５（ｃ）に示す様に光重合用光照射装置２０のガイド部材１５を患者の口内に挿入する。
【００３６】
続いて、ガイド部材１５の先端部のアタッチメント形成治具１における貫通孔３をアタッチメント形成孔２７全体に被せる様に接触させて固定する。この時、アタッチメント形成治具１の貫通孔３と、アタッチメント形成孔２７と、に隙間が発生しない様、アタッチメント形成治具１をアタッチメント形成孔２７に押圧する。これにより光重合用光照射装置２０の光は、貫通孔３が接触するアタッチメント形成孔２７内部のみへ照射されるため、アタッチメント形成孔２７から横溢した光重合コンポジットレジン３１を硬化させず、不要なバリの発生を抑制する。
【００３７】
次に、施術者は光重合用光照射装置２０の光照射器１９における操作部（図示せず）を操作し、光照射器１９から所定時間、光を照射する。光照射器１９から照射された光はガイド部材１５内部を通過して孔１７ｂを介し、接続部材５の照射孔１３に導かれる。照射孔１３を通過した光は、接続部材５に接続されたアタッチメント形成治具１の貫通孔３に到達し、アタッチメント形成治具１の貫通孔３が接触するアタッチメント形成孔２７に照射されることとなる。
【００３８】
上述した経路を通過してアタッチメント形成孔２７に照射された光は、アタッチメント成形テンプレート２５を透過し、アタッチメント形成孔２７に充填された光重合コンポジットレジン３１に照射される。これにより、光重合コンポジットレジン３１は照射された光に反応して硬化し、アタッチメントが形成されることとなる。
【００３９】
施術者は光重合コンポジットレジン３１の硬化に必要な所定時間、光を照射した後に光照射器１９の操作部を操作し、光の照射を停止させる。続いて、光重合用光照射装置２０のガイド部材１５を患者の口内から抜去した後、アタッチメント成形テンプレート２５を患者の歯列から剥離させ、これも患者の口内から抜去する。
【００４０】
次に、施術者は患者の歯に成形されたアタッチメントが強固に固定されていることを確認したうえで、形成したアタッチメントに切削等を施して形状を整え、アタッチメント成形施術を完了することとなる。
【００４１】
≪実施形態２≫
続いて以下より、他のツールと組み合わせて構成される本発明のアタッチメント形成治具について説明する。図６は、本発明のアタッチメント形成治具の実施形態２であるデンタルミラー型ツール４１の形状を示しており、図６（ａ）はデンタルミラー型ツール４１の正面図であり、図６（ｂ）はデンタルミラー型ツール４１を図６（ａ）において示した線Ｃで断面視した断面図である。
【００４２】
デンタルミラー型ツール４１は、概ねツール把持部４３及び光収束部４５で構成されており、光収束部４５は上記実施形態１でいうガイド部材に相当するものであり、略円錐状で底面に開口が設けられ、内部全体が中空に形成されている。また、光収束部４５の先端部には接続部材５を挿入する為のツール挿入部４７が設けられており、当該ツール挿入部４７はツール接続部材把持部４７ａと、ツール孔４７ｂと、ツール把持部底面４７ｃと、から構成されている。
【００４３】
接続部材５がツール挿入部４７に挿入された際、ツール接続部材把持部４７ａの内面が接続部材５の台座部９における側面を把持し、ツール把持部底面４７ｃが接続部材５の台座部９における底面と接することにより、接続部材５が光収束部４５内部に挿通することがなく、所望の位置に接続部材５を固定することが可能となる。
【００４４】
また、ツール孔１７ｂは、従来の光重合用光照射装置５１から光収束部４５に照射された光を、光収束部４５底面から接続部材５の照射孔１３へ導く役割を担っている。尚、デンタルミラー型ツール４１は、施術中に患者の口内へ挿入して唇小帯等を押圧し、必要なスペースを確保する必要がある為、可撓性を有さない硬質の樹脂で形成することが望ましい。
【００４５】
続いて、図７を用いてマスキングツール４９の概要を説明する。図７は、マスキングツール４９の外観を示した模式図である。図７に示した様にマスキングツール４９は、概ねアタッチメント成形器１と、接続部材５と、デンタルミラー型ツール４１と、で構成されている。
【００４６】
組み合わせ手順は、アタッチメント形成治具１を接続部材５の把持部７に設けられたアタッチメント形成治具挿入孔１０に挿入し、接続部材５の台座部９に接触するまで押圧する。次に、接続部材５の台座部９をデンタルミラー型ツール４１のツール挿入部４７に挿入し、接続部材５の台座部９における底面がツール挿入部４７のツール把持部底面４７ｃに接触するまで押圧することで完了する。
【００４７】
次に、図８を示し、施術者がマスキングツール４９を使用して患者の歯にアタッチメントを成形する手順について説明する。図８は、マスキングツール４９及び従来の光照射器５１を用いてアタッチメント成形テンプレート２５越しに光重合コンポジットレジン３１に光を照射し、当該光重合コンポジットレジン３１を硬化させる手順を示した模式図である。
【００４８】
まず、上述において図５（ａ）, （ｂ）を用いて説明した手順と同様に、アタッチメント成形テンプレート２５のアタッチメント形成孔２７に光重合コンポジットレジン３１を充填し、アタッチメントを成形する歯を含んだ４本の歯列にアタッチメント成形テンプレート２５を嵌合させる。
【００４９】
続いて、図８に示す様にマスキングツール４９を患者の口内に挿入し、マスキングツール４９先端部のアタッチメント形成治具１における貫通孔３をアタッチメント形成孔２７全体に被せる様に接触させて固定する。この時、アタッチメント形成治具１の貫通孔３と、アタッチメント形成孔２７と、に隙間が発生しない様、アタッチメント形成治具１をアタッチメント形成孔２７に押厚する。これにより従来の光重合用光照射装置５１の光は、貫通孔３が接触するアタッチメント形成孔２７内部のみへ照射されるため、アタッチメント形成孔２７から横溢した光重合コンポジットレジン３１を硬化させず、不要なバリの発生を抑制する。
【００５０】
次に、施術者は従来の光重合用光照射装置５１における操作部（図示せず）を操作し、従来の光重合用光照射装置５１からマスキングツール４９の光収束器４５における底面へ所定時間、光を照射する。従来の光重合用光照射装置５１から照射された光は、光収束器４５内部を通過してツール孔４７ｂを介し、接続部材５の照射孔１３に導かれる。照射孔１３を通過した光は、接続部材５に接続されたアタッチメント形成治具１の貫通孔３に到達し、アタッチメント形成治具１の貫通孔３が接触するアタッチメント形成孔２７に照射されることとなる。
【００５１】
上述した経路を通過してアタッチメント形成孔２７に照射された光は、アタッチメント成形テンプレート２５を透過し、アタッチメント形成孔２７に充填された光重合コンポジットレジン３１に照射される。これにより、光重合コンポジットレジン３１は照射された光に反応して硬化し、アタッチメントが形成されることとなる。
【００５２】
施術者は光重合コンポジットレジン３１の硬化に必要な所定時間、光を照射した後に従来の光重合用光照射装置５１の操作部を操作し、光の照射を停止させる。続いて、マスキングツール４９を患者の口内から抜去した後、アタッチメント成形テンプレート２５を患者の歯列から剥離させ、これも患者の口内から抜去する。次に、施術者は患者の歯に成形されたアタッチメントが強固に固定されていることを確認したうえで、形成したアタッチメントに切削等を施して形状を整え、アタッチメント成形施術を完了することとなる。
【００５３】
≪実施形態３≫
次に、本発明のアタッチメント形成治具の実施形態３について説明する。図９は、本発明の実施形態３に係るアタッチメント形成治具１の構成を示しており、図１０は、実施形態３に係るアタッチメント形成治具１と組み合わせて用いられる本実施形態に係る光重合用光照射装置２０の概略斜視図である。更に、図１１は、図１０に示す光重合用光照射装置２０に、図９に示すアタッチメント形成治具１を取り付けた様子を示す模式図である。
【００５４】
図９に示すように、本実施形態のアタッチメント形成治具１は、貫通孔３を有する略円筒状の部材１ａと、当該部材１ａと一体化されたキャップ部６１と、で構成されている。そして、キャップ部６１は、部材１ａに一体的に形成されたフランジ部６１ａと、フランジ部６１ａの外縁に一体的に形成された略円筒部６１ｂと、で構成されている。
【００５５】
略円筒部６１ｂの内径は、フランジ部６１ａの幅に相当する分だけ、略円筒状の部材１ａの内径よりも大きく設定されており、この部材１ａの貫通孔３によって光重合用光照射装置２０からの照射光が照射範囲を限定されて照射されることになる。
【００５６】
また、本実施形態においては、キャップ部６１を構成する略円筒部６１ｂの下端部が径方向において内側にむいて肉厚部６１ｃが形成されている。この肉厚部６１ｃによって、アタッチメント形成治具１が光重合用光照射装置２０に取り付けられた場合に、脱落せずに確実に取り付けられることが可能となる。
【００５７】
本実施形態のアタッチメント形成治具１を使用するための光重合用光照射装置２０は、図９に示すように、略直線状のアーム部６３と、アーム部６３の長さ方向に対して略垂直方向にむいて開口する略円状の開口部６３ａ内に設けられた光照射部（図示せず。）と、開口部６３ａに着脱可能に取り付けられたレンズ部６５と、を具備するものである。
【００５８】
この光重合用光照射装置２０では、アーム部６３の先端に設けられた開口部６３ａ内にＬＥＤ素子等を具備することにより、光照射部が形成されている。施術者がアタッチメントを患者の歯に成形する際、この光照射部からレンズ部６５を通過した光が、光重合コンポジットレジンを硬化させる。
【００５９】
そして、本実施形態の光重合用光照射装置２０では、図１１に示すように、レンズ部６５を覆うようにアタッチメント形成治具１が着脱可能に取り付けられて使用される。これにより、開口部６３ａ内の光照射部から照射された光がアタッチメント形成治具１内に誘導され、貫通孔３によって照射領域を規定（限定）して矢印の方向に照射されることが可能となる。
【００６０】
施術者が本実施形態の光重合用光照射装置２０を使用して患者の歯にアタッチメントを成形する手順は、実施形態１及び実施形態２について上述したのと同様の手順にしたがえばよい。
【００６１】
このような本実施形態のキャップ式のアタッチメント形成治具１は、構造がシンプルで安価に製造可能であり、特にディスポーザブル（使い捨て）式のものとして有効に適用することができる。
【００６２】
以上、本発明の代表的な実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解されるであろう。
【００６３】
例えば、本発明のアタッチメント形成治具は、円柱状空洞部によって照射光の領域を規定できるものであれば、外形は種々の形態を有していてもよい。外形は、例えば略球状、略円錐状、略角柱状であってもよい。
【産業上の利用可能性】
【００６４】
本発明のアタッチメント形成治具は、内部を貫通した照射孔を介する経路のみ光を通過させることができ、アタッチメント形成治具の照射孔をアタッチメント形成テンプレートに接触させることで、アタッチメント形成テンプレートを直接押圧しつつ、内部に充填された光重合コンポジットレジンのみに光を照射することが可能となる。その結果、アタッチメント形成施術の簡便化及び不用なバリの発生を抑制し、施術時間を短縮するものである。
【符号の説明】
【００６５】
１      アタッチメント形成治具
３      貫通孔
５      接続部材
７      把持部
９      台座部
１０    アタッチメント形成治具挿入孔
１１    把持用タップ
１３    照射孔
１５    ガイド部材
１６    底部
１７    挿入部
１７ａ  接続部材把持部
１７ｂ  孔
１７ｃ  把持部底面
１９    光照射器
２０    光重合用光照射装置
２５    アタッチメント形成テンプレート
２７    アタッチメント形成孔
２９    スケーラ
３１    光重合コンポジットレジン
４１    デンタルミラー型ツール
４３    ツール把持部
４５    光収束部
４７    ツール挿入部
４７ａ  ツール接続部材把持部
４７ｂ  ツール孔
４７ｃ  ツール把持部底面
４９    マスキングツール
５１    従来の光照射器
６１    キャップ部
６１ａ  フランジ部
６１ｂ  略円筒部
６１ｃ  肉厚部
６３    アーム部
６３ａ  開口部
６５    レンズ部
【図１】
0006728521.tif 000002
【図２】
0006728521.tif 000003
【図３】
0006728521.tif 000004
【図４】
0006728521.tif 000005
【図５】
0006728521.tif 000006
【図６】
0006728521.tif 000007
【図７】
0006728521.tif 000008
【図８】
0006728521.tif 000009
【図９】
0006728521.tif 000010
【図１０】
0006728521.tif 000011
【図１１】
0006728521.tif 000012